(57)【特許請求の範囲】
【請求項１】
高圧線に引下線を接続するための引下線用コネクタであって、
前記高圧線を挟持するための円弧状の溝が互いに対向する位置にそれぞれ形成された一対の高圧線接続部と、
前記一対の高圧線接続部を、前記高圧線を挟む方向に弾性力にて締め付けるための弾性材と、
前記高圧線接続部の前記溝とは反対側の端部に設けられ、前記引下線用コネクタを前記高圧線に取り付ける際に把持される板状の把持部と、
前記溝の長手方向に所定の間隔で配置され、前記溝の長手方向に直交する方向に延在するように前記把持部に取り付けられた一対のガイド材と、を備えることを特徴とする引下線用コネクタ。
【請求項２】
前記ガイド材の前記高圧線接続部とは反対側の端部は、先端側に向かって細くなるように形成されてなることを特徴とする請求項１に記載の引下線用コネクタ。
【発明の詳細な説明】
【技術分野】
【０００１】
本発明は、電柱間に敷設される高圧線に引下線を接続するための引下線用コネクタに関する。
【背景技術】
【０００２】
電柱間に敷設される高圧線には、トランスへ引き込まれる引下線が接続されており、この接続部分には、高圧線と引下線とを共に係止できる引下線用コネクタが取り付けられている。
【０００３】
引下線用コネクタとして、例えば、特許文献１及び特許文献２には、高圧線を挟持するための一対の高圧線接続部と、引下線用コネクタを高圧線に取り付ける際に把持するための把持部と、を備えたものが開示されている。
【０００４】
特許文献１及び特許文献２で開示されている引下線用コネクタを取り付ける際は、まず、引下線用コネクタに設けられた貫通孔内に引下線を挿通し、その貫通孔内を貫通して露出した引下線の先端を折り曲げて、引下線が引下線用コネクタから抜けないようにする。このとき、引下線は貫通孔に弾性力により内接しているので、引下線は貫通孔内で引下線の周方向に回転することができる。
【０００５】
次に、ヤットコで引下線を把持し（図６参照）、「の」の字をえがくように引下線を高圧線に巻き付けて（図７参照）、引下線用コネクタを高圧線への接続予定箇所近傍に配置する（図８参照）。このとき、高圧線接続部は把持部よりも重いため、引下線用コネクタの把持部が上を向いて、高圧線接続部が下を向いた状態になっているので、ヤットコの先端部で把持部が下を向くように引下線用コネクタを回転させる。
【０００６】
次に、ヤットコにて把持部を把持しながら、一対の高圧線接続部を高圧線に押し付けることにより（図９参照）、高圧線接続部間が開口して、その間に高圧線が進入するので、そのまま高圧線接続部で高圧線を挟持する。かかる場合に、ヤットコを押す力をすべて高圧線接続部間を開口するための力として作用させるために、ヤットコの長手方向が高圧線に対して直交するように、把持部を把持することが望ましい。
【先行技術文献】
【特許文献】
【０００７】
【特許文献１】特開２００２−５６９４２号公報
【特許文献２】特開２００８−２８９３０６号公報
【発明の概要】
【発明が解決しようとする課題】
【０００８】
しかしながら、ヤットコの長手方向が高圧線に対して直交するようにヤットコを操作して引下線用コネクタの把持部を把持することは非常に困難なため、何度も把持作業をやり直さなければならず、作業効率が悪いという問題点があった。
【０００９】
そこで、本発明は上記のような問題点に鑑みてなされたものであり、ヤットコで把持部を把持して、引下線用コネクタを高圧線に取り付ける際に、高圧線に対してヤットコの長手方向を直交させることが容易にできる引下線用コネクタを提供することを目的とする。
【課題を解決するための手段】
【００１０】
上記の目的を達成するため、本発明は、高圧線に引下線を接続するための引下線用コネクタであって、
前記高圧線を挟持するための円弧状の溝が互いに対向する位置にそれぞれ形成された一対の高圧線接続部と、
前記一対の高圧線接続部を、前記高圧線を挟む方向に弾性力にて締め付けるための弾性材と、
前記高圧線接続部の前記溝とは反対側の端部に設けられ、前記引下線用コネクタを前記高圧線に取り付ける際に把持される板状の把持部と、
前記溝の長手方向に所定の間隔で配置され、前記溝の長手方向に直交する方向に延在するように前記把持部に取り付けられた一対のガイド材と、を備えることを特徴とする。
【００１１】
本発明によれば、一対のガイド材が、高圧線を挟持するための溝の長手方向に所定の間隔で把持部に取り付けられているので、ヤットコにてガイド材間の把持部を把持することができる。
【００１２】
また、一対のガイド材は溝の長手方向に直交する方向に延在するように設けられているので、ヤットコの先端部でガイド材間を把持することにより、溝の長手方向に対してヤットコの長手方向を直交させることが容易にできる。そして、引下線用コネクタを高圧線に取り付ける際には、引下線用コネクタを高圧線に対して直交するよう（すなわち、溝が高圧線に対して平行になるよう）に配置するので、ヤットコの長手方向は高圧線に対して直交することとなる。これにより、ヤットコを押す力をすべて一対の高圧線接続部を開口するための力として作用させるため、引下線用コネクタを高圧線に効率良く取り付けることができる。
【００１３】
さらに、把持部を把持する際に、操作を誤ってガイド材間以外の場所を把持しようとしても、ヤットコの先端部は、まず、ガイド材を把持することとなり、それ以上閉じることは無い。したがって、ガイド材が取り付けられていることにより、ヤットコの先端部にて弾性部材を挟んで破損させてしまうことを防止できる。
【００１４】
また、本発明において、前記ガイド材の前記高圧線接続部とは反対側の端部は、先端側に向かって細くなるように形成されてなることとすれば、その端部がヤットコをガイド材間に導くためのガイドとなるので、ヤットコでガイド材間の把持部を把持することが容易となる。
【発明の効果】
【００１５】
本発明によれば、ヤットコで把持部を把持して、引下線用コネクタを高圧線に取り付ける際に、高圧線に対してヤットコの長手方向を直交させることが容易にできる引下線用コネクタを提供できる。
【図面の簡単な説明】
【００１６】
【図１】本実施形態に係る引下線用コネクタの正面図である。
【図２】本実施形態に係る引下線用コネクタの裏面図である。
【図３】本実施形態に係る引下線用コネクタの側面図である。
【図４】引下線用コネクタを高圧線に取り付ける手順を説明するための図である。
【図５】引下線用コネクタを高圧線に取り付ける手順を説明するための図である。
【図６】引下線用コネクタを高圧線に取り付ける手順を説明するための図である。
【図７】引下線用コネクタを高圧線に取り付ける手順を説明するための図である。
【図８】引下線用コネクタを高圧線に取り付ける手順を説明するための図である。
【図９】引下線用コネクタを高圧線に取り付ける手順を説明するための図である。
【図１０】引下線用コネクタの他の実施例を示す図である。
【発明を実施するための形態】
【００１７】
以下、本発明の好ましい実施形態について図面を用いて詳細に説明する。
【００１８】
図１〜図３は、それぞれ本実施形態に係る引下線用コネクタ１の正面図、裏面図及び側面図である。
図１及び図２に示すように、引下線用コネクタ１は、高圧線２を挟持するための一対の高圧線接続部４と、一対の高圧線接続部４を締結するための締結具５と、一対の高圧線接続部４を弾性力にて締め付けるための弾性材６と、ヤットコ７にて把持される板状の把持部８と、把持部８に取り付けられた一対のガイド材９と、を備える。
【００１９】
図３に示すように、一対の高圧線接続部４の上端部４ｃには、互いに対向する位置にそれぞれ円弧状の第１の溝４ｄが設けられており、これらの溝４ｄによって溝４ｄの長手方向に形成される略円柱形状の空間（以下、高圧線保持部４ｅという）に高圧線２が挟持される。高圧線保持部４ｅを形成する第１の溝４ｄの円弧は、高圧線２に密着できるように、高圧線２の直径に合わせて形成されている。
【００２０】
また、一方の高圧線接続部４ａの下端部４ｆには、円弧状の第２の溝４ｇが設けられており、この溝４ｇによって溝４ｇの長手方向に形成される略半円柱状の空間（以下、引下線挿通部４ｈという）内に、引下線３が挿通される。引下線挿通部４ｈを形成する第２の溝４ｇの円弧は、引下線３を挿通可能となるように、引下線３の直径よりもやや小さく形成され弾性力により内接している。
【００２１】
弾性材６は、針金状のバネであり、把持部８を貫通するとともに、端部６ａ、６ｂが各高圧線接続部４ａ、４ｂの下端部４ｆにそれぞれ固定されている。
【００２２】
一方の高圧線接続部４ａの下端部４ｆには凸部４ｉが形成されており、この凸部４ｉが他方の高圧線接続部４ｂの下端部４ｆに形成された凹部４ｊに嵌合しており、これら一対の高圧線接続部４ａ、４ｂが高圧線２を挟む方向に弾性材６により締め付けられている。これにより、他方の高圧線接続部４ｂが一方の高圧線接続部４ａに対して凸部４ｉと凹部４ｊとの嵌合部を中心にして弾性材６の弾性力に抗して略Ｖ型に開くように揺動可能である。したがって、他方の高圧線接続部４ｂが一方の高圧線接続部４ａに対して略Ｖ型に揺動することにより、一対の高圧線接続部４の上端部４ｃ間が開閉する。
【００２３】
把持部８は、一方の高圧線接続部４ａの下端面に接続されている。なお、本実施形態においては、一方の高圧線接続部４ａと把持部８とを接続したが、これに限定されるものではなく、一体に形成されたものを用いてもよい。
【００２４】
一対のガイド材９は、第１の溝４ｄの長手方向にヤットコ７の先端部の幅よりもやや広い所定の間隔で配置され、把持部８の両端縁部にそれぞれ取り付けられている。
また、一対のガイド材９は、上記長手方向に対して直交する方向に延在するように把持部８に取り付けられている。
そして、ガイド材９の高圧線接続部４とは反対側の端部９ａは、外方に向かって次第に細くなるテーパー状に形成されている。
【００２５】
締結具５は、高圧線保持部４ｅに高圧線２を挟持した状態で、引下線用コネクタ１を高圧線２に固定する際に使用される。締結具５として、本実施形態においては、ボルトを用いた。
【００２６】
次に、上述した構成からなる引下線用コネクタ１を用いて高圧線２に引下線３を取り付ける取付方法について、作業手順に従って説明する。
【００２７】
図４〜図９は、引下線用コネクタ１を高圧線２に取り付ける手順を説明するための図である。
図４〜図６に示すように、従来技術と同様に、まず、ヤットコ７で引下線３を把持し（図４参照）、「の」の字をえがくように高圧線２に巻き付けて（図５参照）、引下線用コネクタ１を高圧線２への接続箇所１０近傍に配置する（図６参照）。このとき、把持部８が上を向いた状態になっているので、ヤットコ７の先端部で把持部８が下を向くように引下線用コネクタ１を回転させる。
ヤットコ７の先端部で把持部８を下に向けた後に、ヤットコ７にてガイド材９間の把持部８を把持する。
【００２８】
次に、図７及び図８に示すように、ヤットコ７の先端部にてガイド材９間の把持部８を把持する。この際、ガイド材９の端部９ａはテーパー状に形成されているので、引下線用コネクタ１の下方からヤットコ７を近付けることにより、ヤットコ７の先端部をスムーズにガイド材９間に導くことができる。また、ガイド材９間をヤットコ７の先端部で把持することにより、ヤットコ７の長手方向を第１の溝４ｄの長手方向に対して直交させることとなる。
【００２９】
次に、図９に示すように、ヤットコ７にて把持部８を把持しながら、引下線用コネクタ１を高圧線２に対して直交するように配置し、一対の高圧線接続部４を高圧線２に押し付けることにより、一対の高圧線接続部４の上端部４ｃ間が開口して、その間に高圧線２が進入するので、一対の高圧線接続部４で高圧線２を挟持する。
【００３０】
一対の高圧線接続部４を高圧線２に押し付ける際には、引下線用コネクタ１を高圧線２に対して直交するよう（すなわち、引下線用コネクタ１の第１の溝４ｄが高圧線２に対して平行になるよう）に配置するので、ヤットコ７の長手方向は高圧線２に対して直交することとなる。
【００３１】
上述した本実施形態における引下線用コネクタ１によれば、一対のガイド材９をヤットコ７の先端部の幅よりもやや広い所定の間隔で把持部８に取り付けることにより、ヤットコ７の先端部にてガイド材９間の把持部８を把持することができる。
【００３２】
また、ガイド材９は第１の溝４ｄに直交する方向に延在するように設けられているので、ガイド材９間を把持することにより、ヤットコ７の長手方向を第１の溝４ｄの長手方向に対して直交させることができる。そして、引下線用コネクタ１を高圧線２に取り付ける際には、高圧線２の軸方向に対して直交するよう（すなわち、引下線用コネクタ１の第１の溝４ｄが高圧線２に対して平行になるよう）に引下線用コネクタ１を配置するので、ヤットコ７の長手方向は高圧線２の軸方向に対して直交することとなる。これにより、ヤットコ７を押す力をすべて一対の高圧線接続部４を開口するための力として作用させるため、引下線用コネクタ１を高圧線２に効率良く取り付けることができる。
【００３３】
さらに、把持部８を把持する際に、操作を誤ってガイド材９間以外の場所を把持しようとしても、ヤットコ７の先端部は、まず、ガイド材９を把持することとなり、それ以上閉じることは無い。したがって、ガイド材９が取り付けられていることにより、ヤットコ７の先端部にて弾性材６を挟んで破損させてしまうことを防止できる。
【００３４】
また、ガイド材９の高圧線接続部４とは反対側の端部９ａは、テーパー状に形成されているので、ヤットコ７の下方からのアプローチが容易となる。
【００３５】
なお、本実施形態においては、締結具５を備えた引下線用コネクタ１を用いた場合について説明したが、これに限定されるものではなく、図１０に示すように、締結具５を備えていない引下線用コネクタ（特許文献２参照）を用いてもよく、要は、ヤットコ７で把持するための把持部８を備えた引下線用コネクタであれば本発明を適用可能である。
【符号の説明】
【００３６】
１  引下線用コネクタ
２  高圧線
３  引下線
４  高圧線接続部
４ａ  一方の高圧線接続部
４ｂ  他方の高圧線接続部
４ｃ  上端部
４ｄ  第１の溝
４ｅ  高圧線保持部
４ｆ  下端部
４ｇ  第２の溝
４ｈ  引下線挿通部
４ｉ  凸部
４ｊ  凹部
５  締結具
６  弾性材
６ａ、６ｂ  端部
７  ヤットコ
８  把持部
９  ガイド材
９ａ  端部
１０  接続箇所
【図１】
0005431119.tif 000002
【図２】
0005431119.tif 000003
【図３】
0005431119.tif 000004
【図１０】
0005431119.tif 000005
【図４】
0005431119.tif 000006
【図５】
0005431119.tif 000007
【図６】
0005431119.tif 000008
【図７】
0005431119.tif 000009
【図８】
0005431119.tif 000010
【図９】
0005431119.tif 000011